【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
オーディオデータを取り出す方法であって、
複数の利用可能な適応セットを表す利用可能性データを受信するステップであって、前記利用可能な適応セットは、1つまたは複数のシーンベースのオーディオ適応セットおよび1つまたは複数のオブジェクトベースのオーディオ適応セットを含み、前記オブジェクトベースのオーディオ適応セットは、オーディオオブジェクトに関するオーディオデータおよび前記オーディオオブジェクトに関する位置座標を表すメタデータを含み、前記1つまたは複数のシーンベースのオーディオ適応セットは、球面調和係数を使用して音場を表すオーディオデータを含み、1つまたは複数のスケーラブルオーディオ適応セットを含み、前記1つまたは複数のスケーラブルオーディオ適応セットの各々は、スケーラブルオーディオデータのそれぞれのレイヤに対応する、ステップと、
前記シーンベースのオーディオ適応セットおよび前記1つまたは複数のオブジェクトベースのオーディオ適応セットのうちのどれが取り出されるべきであるかを識別する選択データを受信するステップと、
前記選択データによって識別された前記適応セットの各々に関するデータをストリーミングクライアントに取り出させるための命令データを前記ストリーミングクライアントに提供するステップと
を含む、方法。
【請求項２】
前記ストリーミングクライアントは、第1のデータフォーマットを定めるストリーミングプロトコルに従って、前記選択データによって識別された前記適応セットの各々に関する前記データを取り出すように構成され、前記利用可能性データは、前記ストリーミングプロトコルによって定められた前記第1のデータフォーマットとは異なる第2のデータフォーマットに従ってフォーマットされる、請求項1に記載の方法。
【請求項３】
前記ストリーミングプロトコルは、動的適応ストリーミングオーバーHTTP(DASH)を含み、
前記第1のデータフォーマットは、ISOベースメディアファイルフォーマット(ISO BMFF)、前記ISO BMFFの拡張、またはMPEG-2トランスポートストリーム(MPEG-2 TS)のうちの1つを含み、
前記第2のデータフォーマットは、MPEG-H 3D Audioを含む、請求項2に記載の方法。
【請求項４】
取り出されるべきである前記適応セットのうちの少なくとも1つに関する相対的品質を表す品質データを受信するステップをさらに含み、前記命令データを提供するステップは、前記相対的品質に対応する前記適応セットのうちの前記少なくとも1つの表現を前記ストリーミングクライアントに取り出させるための前記命令データを形成するステップを含む、請求項1に記載の方法。
【請求項５】
前記品質データを受信するステップは、前記適応セットのうちの前記少なくとも1つに関する相対的ボリュームを受信するステップを含み、前記方法は、前記適応セットのうちの前記少なくとも1つに関する前記相対的ボリュームが、前記選択データによって識別された他の適応セットに関する相対的ボリュームよりも高いとの判定に応答して、前記選択データによって識別された前記他の適応セットの表現に関するビットレートよりも比較的高いビットレートを有する前記少なくとも1つの適応セットの表現を前記ストリーミングクライアントに取り出させるための前記命令データを形成するステップをさらに含む、請求項4に記載の方法。
【請求項６】
前記ストリーミングクライアントによって、前記命令データを受信する前に前記利用可能な適応セットの各々に関するデータを取り出すステップをさらに含む、請求項1に記載の方法。
【請求項７】
前記命令データに応答して、前記ストリーミングクライアントによって、
取り出されるべきではない前記利用可能な適応セットのうちの少なくとも1つを決定するステップと、
前記命令データを受信する前に前記利用可能な適応セットのうちの前記少なくとも1つに割り振られた帯域幅の量を判定するステップと、
前記命令データに従って取り出されるべき前記適応セットのうちの1つまたは複数に、帯域幅の前記判定された量を割り振るステップと、
帯域幅の前記割り振られた量に基づいて、取り出されるべき前記適応セットのうちの1つまたは複数に関する表現選択を調整するステップと
をさらに含む、請求項6に記載の方法。
【請求項８】
前記ストリーミングクライアントによって、前記利用可能性データを含むマニフェストファイルを受信するステップをさらに含む、請求項1に記載の方法。
【請求項９】
前記マニフェストファイルは、メディアプレゼンテーション記述(MPD)を含む、請求項8に記載の方法。
【請求項１０】
前記利用可能性データを受信するステップは、前記ストリーミングクライアントから前記利用可能性データを受信するステップを含む、請求項1に記載の方法。
【請求項１１】
前記選択データを受信するステップは、ユーザインターフェースから前記選択データを受信するステップを含む、請求項1に記載の方法。
【請求項１２】
前記命令データを提供するステップは、前記ストリーミングクライアントに、前記選択データによって識別された前記適応セットに関するデータのみを取り出させ、前記選択データによって識別されない適応セットに関するいかなるデータの取出しも回避させるための前記命令データを提供するステップを含む、請求項1に記載の方法。
【請求項１３】
前記命令データを提供するステップは、前記ストリーミングクライアントに、前記選択データによって識別された前記適応セットに対する帯域幅適応を実行させ、前記選択データによって識別されない前記利用可能な適応セットの最低の利用可能なビットレートを有する表現からデータを取り出させるための前記命令データを提供するステップを含む、請求項1に記載の方法。
【請求項１４】
前記選択データによって識別された前記適応セットの各々に関して取り出されるべき表現を識別するための前記命令データを形成するステップをさらに含む、請求項1に記載の方法。
【請求項１５】
前記ストリーミングクライアントによって、前記命令データに従ってデータを取り出すことを求めるそれぞれのHTTP GET要求または部分GET要求を送るステップをさらに含む、請求項1に記載の方法。
【請求項１６】
前記ストリーミングクライアントは、動的適応ストリーミングオーバーHTTP(DASH)クライアントを含む、請求項1に記載の方法。
【請求項１７】
前記ストリーミングクライアントは、ブロードキャストまたはマルチキャスト受信ユニットおよびプロキシサーバをさらに含むミドルウェアユニットに含まれ、前記方法は、前記ストリーミングクライアントによって、前記プロキシサーバからユニキャストを介して前記命令データに従って、キャッシュされたメディアデータを取り出すステップをさらに含む、請求項1に記載の方法。
【請求項１８】
オーディオデータを取り出すためのデバイスであって、
複数の利用可能な適応セットを表す利用可能性データを受信することであって、前記利用可能な適応セットは、1つまたは複数のシーンベースのオーディオ適応セットおよび1つまたは複数のオブジェクトベースのオーディオ適応セットを含み、前記オブジェクトベースのオーディオ適応セットは、オーディオオブジェクトに関するオーディオデータおよび前記オーディオオブジェクトに関する位置座標を表すメタデータを含み、前記1つまたは複数のシーンベースのオーディオ適応セットは、球面調和係数を使用して音場を表すオーディオデータを含み、1つまたは複数のスケーラブルオーディオ適応セットを含み、前記1つまたは複数のスケーラブルオーディオ適応セットの各々は、スケーラブルオーディオデータのそれぞれのレイヤに対応する、受信することと、
前記シーンベースのオーディオ適応セットおよび前記1つまたは複数のオブジェクトベースのオーディオ適応セットのうちのどれが取り出されるべきであるかを識別する選択データを受信することと、
前記選択データによって識別された前記適応セットの各々に関するデータをストリーミングクライアントに取り出させるための命令データを前記ストリーミングクライアントに提供することと
を行うように構成された1つまたは複数のプロセッサと、
前記オーディオ適応セットに関する前記取り出されたデータを記憶するように構成されたメモリと
を含む、デバイス。
【請求項１９】
前記ストリーミングクライアントは、ヘッダデータを含むメディアデータに対する要求をサーバデバイスに送るように構成された動的適応ストリーミングオーバーHTTP(DASH)クライアントを含む、請求項18に記載のデバイス。
【請求項２０】
前記DASHクライアントは、前記ヘッダデータを含む前記メディアデータを前記サーバデバイスから受信するように構成される、請求項19に記載のデバイス。
【請求項２１】
前記ストリーミングクライアントは、第1のデータフォーマットを定めるストリーミングプロトコルに従って、前記選択データによって識別された前記適応セットの各々に関する前記データを取り出すように構成され、前記利用可能性データは、前記ストリーミングプロトコルによって定められた前記第1のデータフォーマットとは異なる第2のデータフォーマットに従ってフォーマットされる、請求項18に記載のデバイス。
【請求項２２】
ユーザ定義のアクションに基づくユーザ提供の選択データを受信し、前記1つまたは複数のプロセッサに前記選択データを提供するように構成されたユーザインターフェースをさらに含む、請求項18に記載のデバイス。
【請求項２３】
シーンベースのオーディオデータ、チャンネルベースのオーディオデータ、またはオブジェクトベースのオーディオデータのうちの少なくとも1つを復号するように構成されたMPEG-H(Moving Pictures Experts Group)Audioデコーダをさらに含む、請求項18に記載のデバイス。
【請求項２４】
前記1つまたは複数のプロセッサは、MPEG-Hオーディオデコーダを含む、請求項18に記載のデバイス。
【請求項２５】
前記1つまたは複数のプロセッサは、MPEG-Hオーディオデコーダのメタデータ処理ユニットを含む、請求項18に記載のデバイス。
【請求項２６】
MPEG-Hオーディオデコーダをさらに含み、前記1つまたは複数のプロセッサは、前記MPEG-Hオーディオデコーダとは別個のメタデータ処理ユニットを含む、請求項18に記載のデバイス。
【請求項２７】
オーディオデータを取り出すためのデバイスであって、
複数の利用可能な適応セットを表す利用可能性データを受信するための手段であって、前記利用可能な適応セットは、1つまたは複数のシーンベースのオーディオ適応セットおよび1つまたは複数のオブジェクトベースのオーディオ適応セットを含み、前記オブジェクトベースのオーディオ適応セットは、オーディオオブジェクトに関するオーディオデータおよび前記オーディオオブジェクトに関する位置座標を表すメタデータを含み、前記1つまたは複数のシーンベースのオーディオ適応セットは、球面調和係数を使用して音場を表すオーディオデータを含み、1つまたは複数のスケーラブルオーディオ適応セットを含み、前記1つまたは複数のスケーラブルオーディオ適応セットの各々は、スケーラブルオーディオデータのそれぞれのレイヤに対応する、手段と、
前記シーンベースのオーディオ適応セットおよび前記1つまたは複数のオブジェクトベースのオーディオ適応セットのうちのどれが取り出されるべきであるかを識別する選択データを受信するための手段と、
前記選択データによって識別された前記適応セットの各々に関するデータをストリーミングクライアントに取り出させるための命令データを前記ストリーミングクライアントに提供するための手段と
を含む、デバイス。
【請求項２８】
前記ストリーミングクライアントは、第1のデータフォーマットを定めるストリーミングプロトコルに従って、前記選択データによって識別された前記適応セットの各々に関する前記データを取り出すように構成され、前記利用可能性データは、前記ストリーミングプロトコルによって定められた前記第1のデータフォーマットとは異なる第2のデータフォーマットに従ってフォーマットされる、請求項27に記載のデバイス。
【請求項２９】
前記選択データを受信するための前記手段は、ユーザインターフェースから前記選択データを受信するための手段を含む、請求項27に記載のデバイス。
【請求項３０】
前記命令データを提供するための前記手段は、前記ストリーミングクライアントに、前記選択データによって識別された前記適応セットに関するデータのみを取り出させ、前記選択データによって識別されない適応セットに関するいかなるデータの取出しも回避させるための前記命令データを提供するための手段を含む、請求項27に記載のデバイス。
【請求項３１】
前記ストリーミングクライアントは、ヘッダデータを含むメディアデータに対する要求をサーバデバイスに送るように構成された動的適応ストリーミングオーバーHTTP(DASH)クライアントを含む、請求項27に記載のデバイス。
【請求項３２】
実行されたときに、プロセッサに、
複数の利用可能な適応セットを表す利用可能性データを受信することであって、前記利用可能な適応セットは、1つまたは複数のシーンベースのオーディオ適応セットおよび1つまたは複数のオブジェクトベースのオーディオ適応セットを含み、前記オブジェクトベースのオーディオ適応セットは、オーディオオブジェクトに関するオーディオデータおよび前記オーディオオブジェクトに関する位置座標を表すメタデータを含み、前記1つまたは複数のシーンベースのオーディオ適応セットは、球面調和係数を使用して音場を表すオーディオデータを含み、1つまたは複数のスケーラブルオーディオ適応セットを含み、前記1つまたは複数のスケーラブルオーディオ適応セットの各々は、スケーラブルオーディオデータのそれぞれのレイヤに対応する、ことと、
前記シーンベースのオーディオ適応セットおよび前記1つまたは複数のオブジェクトベースのオーディオ適応セットのうちのどれが取り出されるべきであるかを識別する選択データを受信することと、
前記選択データによって識別された前記適応セットの各々に関するデータをストリーミングクライアントに取り出させるための命令データを前記ストリーミングクライアントに提供することと
を行わせる命令を記憶している、非一時的なコンピュータ可読記憶媒体。
【請求項３３】
前記ストリーミングクライアントは、第1のデータフォーマットを定めるストリーミングプロトコルに従って、前記選択データによって識別された前記適応セットの各々に関する前記データを取り出すように構成され、前記利用可能性データは、前記ストリーミングプロトコルによって定められた前記第1のデータフォーマットとは異なる第2のデータフォーマットに従ってフォーマットされる、請求項32に記載の非一時的なコンピュータ可読記憶媒体。
【請求項３４】
前記プロセッサに、前記選択データを受信することを行わせる前記命令は、前記プロセッサに、ユーザインターフェースから前記選択データを受信することを行わせる命令を含む、請求項32に記載の非一時的なコンピュータ可読記憶媒体。
【請求項３５】
前記ストリーミングクライアントは、ヘッダデータを含むメディアデータに対する要求をサーバデバイスに送るように構成された動的適応ストリーミングオーバーHTTP(DASH)クライアントを含む、請求項32に記載の非一時的なコンピュータ可読記憶媒体。